(57)【要約】  本発明は、エアフレッシュナーの分野に関する。それは、より詳細には、中に含まれる活性揮発性成分の有効かつ長期の蒸発を可能にするゲル組成物に関する。本発明のゲルデバイスは、活性揮発性成分と、セルロース、ヘミセルロースおよびペクチンから実質的に形成されたゲル化剤とを含む。【特許請求の範囲】
【請求項１】
ゲル組成物であって、
ａ）前記組成物の総重量に対して０．１重量％〜１０重量％の量の、セルロース、ヘミセルロースおよびペクチンを含むゲル化剤、
ｂ）前記組成物の総重量に対して０．１重量％〜５重量％の量の活性揮発性成分含有油、
ｃ）前記組成物の総重量に対して８５重量％〜９８．９重量％の量の水、
ｄ）前記組成物の総重量に対して０．０１重量％〜１重量％の量の２価カチオン、
ｅ）前記ゲル組成物の総重量に対して０．５重量％未満の量の金属イオン封鎖剤および
ｆ）前記ゲル組成物の総重量に対して３重量％未満の量のｐＨ調整剤
を含み、ここで、前記組成物は、エアフレッシュナーである、ゲル組成物。
【請求項２】
前記活性揮発性成分が、香料である、請求項１記載のゲル組成物。
【請求項３】
前記２価カチオンが、リン酸カルシウムである、請求項１または２記載のゲル組成物。
【請求項４】
前記ｐＨ調整剤が、グルコノデルタラクトンである、請求項１から３までのいずれか１項記載のゲル組成物。
【請求項５】
前記金属イオン封鎖剤が、トリポリリン酸ナトリウムである、請求項１から４までのいずれか１項記載のゲル組成物。
【請求項６】
請求項１に定義されるゲル組成物を調製する方法であって、以下の工程：
ａ）セルロース、ヘミセルロースおよびペクチンを含むゲル化剤を水と混合する工程、
ｂ）工程ａ）で得られた混合物に金属イオン封鎖剤を添加する工程、
ｃ）任意に、工程ｂ）で得られた混合物を加熱する工程、
ｄ）工程ｃ）で得られた混合物に
ｉ）２価カチオン、
ｉｉ）ｐＨ調整剤および
ｉｉｉ）活性揮発性成分含有油
を添加する工程
を含む、方法。
【請求項７】
前記ゲルを、室温に冷却させる前に、型または適切な容器にさらに注ぐ、請求項６記載の方法。
【請求項８】
前記ｐＨ調整剤が、グルコノデルタラクトンである、請求項６または７記載の方法。
【請求項９】
前記ｐＨ調整剤を、前記ゲル組成物の総重量に対して０．０１重量％〜３重量％の量で添加する、請求項６から８までのいずれか１項記載の方法。
【請求項１０】
請求項１に定義されるゲル組成物を提供する工程を含む、活性揮発性成分の蒸発を調節、増強または変更する方法。
【請求項１１】
エアフレッシュナーとしての請求項１から５までのいずれかにおいて定義されるゲル組成物の使用。
【発明の詳細な説明】
【技術分野】
【０００１】
本発明は、エアフレッシュナー(air fresheners)の分野に関する。それは、より詳細には、中に含まれる活性揮発性成分、例えば香料の有効かつ長期の蒸発を可能にするゲル組成物に関する。本発明のゲル組成物は、活性揮発性成分と、セルロース、ヘミセルロースおよびペクチンを含むゲル化剤とを含む。
【背景技術】
【０００２】
近年、揮発性化合物、例えば、香料、消毒剤、防虫剤などを拡散するための様々なデバイスの使用がますます増加している。エアフレッシュナーデバイスまたは消臭デバイスは、実際にすべての家庭において、悪臭を隠蔽するために、または香気成分（ｆｒａｇｒａｎｃｅｓ）もしくはその他の揮発性活性成分を、該デバイスを取り巻く空気、特に部屋および食器棚、ゴミ箱およびその他の閉鎖環境に拡散するために現在使用されている。
【０００３】
香気成分およびその他の空気改質物質、例えば清浄剤または消毒剤を拡散するのに使用されることができる様々な種類のデバイスの中でも、活性揮発性成分を拡散することができる系の１つの分類が、固体材料または有効成分を含浸させた担体からなる固体デバイスである。そのようなデバイスは、活性成分を吸収し、その後に程度の差はあれ制御された様式で該活性成分を放出することができる様々な材料から形成されていてよい。そのような既知の材料の例には、寒天またはステアリン酸ナトリウムゲルなどのゲル、合成ポリマー樹脂、または無機材料のブロック、例えば、石膏またはシリカが含まれる。
【０００４】
ヒドロゲルとしても知られている、ゲルをベースとするデバイスは、当技術分野において周知である。ゲル組成物は、通常、水、ゲル化剤および揮発性化合物を含み、ここで、ゲル化剤は、いわゆる超吸収性ポリマー、例えばデンプンをベースとする系、化学修飾セルロースまたは天然ゴムから選択される吸収材料である。
【０００５】
米国特許出願公開第２００５００３７０８０号明細書（ＵＳ２００５００３７０８０）において報告されているエアフレッシュナーとして有用なゲル組成物の例は、ゲル形成ポリマーとしてのアルギン酸塩、カルボキシメチルセルロースなどの添加ポリマー、２価カチオンおよび香料のような活性物質を含む。しかしながら、前記ゲル組成物は、カルボキシメチルセルロースなどの天然には存在しない成分の存在を必要とする。
【０００６】
一般的に使用されるゲル組成物の１つは、ゲル化剤としての天然のカラギナンをベースとする。この種類のヒドロゲルは、経時的な活性成分放出プロファイルの点で満足のいくものであるが、それは高熱に曝されると不安定になり、多量の香料の使用を必要とするオフノート（ｏｆｆ−ｎｏｔｅｓ）を有していることから、この組成物のコストを増加させる。
【０００７】
したがって、オフノートのような先行技術の解決策の欠点を克服しつつ、カラギナンとして長期間にわたって揮発性化合物を拡散することができる天然のゲル化剤を含むゲル組成物を提供する必要がある。
【０００８】
本発明は、セルロース、ヘミセルロースおよびペクチンを含むゲル組成物を使用することにより、上記の問題に対する解決策を提供する。米国特許第７８３３５５８号明細書（ＵＳ７８３３５５８）は、繊維含有ペクチン生成物を調製する方法を記載しており、ゲル化および粘性付与特性に言及している。しかしながら、エアフレッシュナーである本発明のゲル組成物は、いずれの先行技術文献にも記載または示唆されていない。
【０００９】
本発明の概要
本発明は、中に含まれる揮発性活性成分の経時的な優れた放出を示し、カラギナンをベースとする商業的に関連するゲルと比較して、オフノートが少なく、熱安定性が改善された新規のゲル組成物に関する。特に、ゲル化剤としてセルロース、ヘミセルロースおよびペクチンを含む前記ゲル組成物は、良好な香気成分強度プロファイルおよびより低いオフノートを有する好適なエアフレッシュナーを提供する。
【００１０】
したがって、本発明の第１の対象は、
ａ）組成物の総重量に対して０．１重量％〜１０重量％の量の、セルロース、ヘミセルロースおよびペクチンを含むゲル化剤、
ｂ）組成物の総重量に対して０．１重量％〜５重量％の量の活性揮発性成分含有油、
ｃ）組成物の総重量に対して８５重量％〜９８．９重量％の量の水、
ｄ）組成物の総重量に対して０．０１重量％〜１重量％の量の２価カチオン、
ｅ）ゲル組成物の総重量に対して０．５重量％未満の量の金属イオン封鎖剤および
ｆ）ゲル組成物の総重量に対して３重量％未満の量のｐＨ調整剤
を含むゲル組成物であって、ここで、前記組成物は、エアフレッシュナーである。
【００１１】
本発明の第２の対象は、以下の工程：
ａ）セルロース、ヘミセルロースおよびペクチンを含むゲル化剤を水と混合する工程、
ｂ）工程ａ）で得られた混合物に金属イオン封鎖剤を添加する工程、
ｃ）任意に、工程ｂ）で得られた混合物を加熱する工程、
ｄ）工程ｃ）で得られた混合物に
ｉ）２価カチオン、
ｉｉ）ｐＨ調整剤および
ｉｉｉ）活性揮発性成分含有油
を添加する工程
を含む、上記で定義したゲル組成物を調製する方法である。
【００１２】
本発明の第３の対象は、上記で定義したゲル組成物を提供する工程を含む、活性揮発性成分の蒸発を調節、増強または変更する方法からなる。
【００１３】
本発明の最後の対象は、上記で定義したゲル組成物をエアフレッシュナーとして使用することである。
【図面の簡単な説明】
【００１４】
【図１】本発明による組成物から放出される香料のヘッドスペース分析によって測定された周囲環境における香気成分の異なる時点での存在量を表す図である。
【００１５】
本発明の説明
本発明のゲル組成物は、商業的なカラギナンベースのゲルの利点、すなわち、香料および自然に優しいゲルの徐放を、初期に知覚される香料強度を高めながら維持する。さらに、本発明のゲル組成物は、カラギナンベースのゲル組成物に特有のマリン系オフノートを回避する。したがって、本発明は、活性揮発性成分含有油の濃度が低下した効率的なエアフレッシュナーを提供することを可能にし、ひいてはゲル化組成物のコストが有利には低下する。
【００１６】
したがって、本発明の第１の対象は、
ａ）組成物の総重量に対して０．１重量％〜１０重量％の量の、セルロース、ヘミセルロースおよびペクチンを含むゲル化剤、
ｂ）組成物の総重量に対して０．１〜５重量％の量の活性揮発性成分含有油、
ｃ）組成物の総重量に対して８５〜９８．９重量％の量の水、
ｄ）組成物の総重量に対して０．０１〜１重量％の量の２価カチオン、
ｅ）ゲル組成物の総重量に対して０．５重量％未満の量の金属イオン封鎖剤および
ｆ）ゲル組成物の総重量に対して３重量％未満の量のｐＨ調整剤
を含むゲル組成物であって、ここで、前記組成物は、エアフレッシュナーである。
【００１７】
本発明のゲル組成物のゲル化剤は、セルロース、ヘミセルロースおよびペクチンを含み、例えばＦｉｂｅｒＧｅｌ（登録商標）（Ｆｌｏｒｉｄａ  Ｆｏｏｄ  Ｐｒｏｄｕｃｔｓ，Ｉｎｃの商標であり、Ｆｌｏｒｉｄａ  Ｆｏｏｄ  Ｐｒｏｄｕｃｔｓ，Ｉｎｃから市販されている）またはＣｉｔｒｉ−Ｆｉ（登録商標）（Ｆｉｂｅｒｓｔａｒ（登録商標）の商標であり、Ｆｉｂｅｒｓｔａｒ（登録商標）から市販されている）の商標名で販売されている。好ましくは、ゲル化剤は、化学修飾セルロースを含まない。より好ましくは、ゲル化剤は、天然に存在する化合物のみを含む。好ましくは、本発明のゲルのゲル化剤は、セルロース、ヘミセルロース、ペクチンを含み、例えばＦｉｂｅｒＧｅｌ（登録商標）の商標名で販売されているものを含む。前記ゲル化剤は、組成物の総重量に対して０．１重量％〜１０重量％の量で、好ましくは１重量％〜５重量％の量で、さらにより好ましくは２重量％〜３重量％の量で使用される。好ましくは、ゲル化剤は、該ゲル化剤の総重量に対して５重量％〜２５重量％の量のセルロース、ゲル化剤の総重量に対して５重量％〜２５重量％の量のヘミセルロース、およびゲル化剤の総重量に対して２５重量％〜６０重量％の量のペクチンを含む。
【００１８】
本発明の組成物は、該組成物の総重量に対して０．１重量％〜５重量％の量の活性揮発性成分含有油をさらに含む。「活性揮発性成分」とは、本明細書では、個々の成分、または成分の混合物であって、知覚可能で所望の利点を、それらが拡散されている空気の品質に付与し得ることを意味する。活性揮発性成分は、好ましくは、香料、香料成分、悪臭中和剤、殺菌剤、昆虫防除剤、殺生物剤活性物質およびそれらの混合物からなる群から選択される。好ましくは、活性揮発性成分は、香料または悪臭中和剤である。さらにより好ましくは、活性揮発性成分は、香料である。
【００１９】
「香料」として、任意の賦香成分またはその混合物を使用することができる。賦香成分とは、本明細書では、香料産業において現在使用されている化合物、すなわち、その周囲に快楽効果を付与するために賦香組成物または賦香製品において有効成分として使用される化合物を意味する。言い換えれば、香料を付けるものとみなされる、そのような成分または混合物は、香料の技術分野の当業者によって、好ましくは肯定的または快適な意味で、組成物または製品の匂いを付与または変更することができ、単に匂いを有するものではないと認識されなければならない。さらに、この定義は、匂いを必ずしも有さないが、賦香組成物または賦香製品の匂いを調節することができ、その結果、そのような組成物または製品の匂いのユーザーによる知覚を変更することができる化合物を含むことも意味する。
【００２０】
これらの賦香成分の性質および種類は、本明細書では、より詳細な説明を保証するものではなく、それらは、いずれの場合にも網羅的ではないことから、当業者は、その一般知識、目的とされる使用または用途、および所望の官能効果に基づいてそれらを選択することができる。一般的な観点からは、これらの賦香成分は、アルコール、アルデヒド、ケトン、エステル、エーテル、アセテート、ニトリル、テルペン炭化水素、含窒素または含硫黄複素環式化合物および精油などの様々な化学的分類に属している。前記賦香成分は、天然または合成起源のものであってもよい。これらの成分の多くは、いずれの場合にも、参考文献、例えばＳ．Ａｒｃｔａｎｄｅｒ著、Ｐｅｒｆｕｍｅ  ａｎｄ  Ｆｌａｖｏｒ  Ｃｈｅｍｉｃａｌｓ，１９６９，Ｍｏｎｔｃｌａｉｒ，Ｎｅｗ  Ｊｅｒｓｅｙ，ＵＳＡ、またはその最新版、または同様のタイプのその他の著作物、それだけでなく香料の分野における豊富な特許文献にも記載されている。前記成分はまた、制御された様式で様々な種類の賦香化合物を放出することで知られている化合物であってもよいと理解される。特定の実施形態によれば、本発明のゲル組成物に導入された香料は、フローラル／フルーティな感覚刺激ノートを付与する。
【００２１】
典型的には、香料は、香料製造業において現在使用されている担体、例えば溶媒を含むこともできる。そのような現在の香料添加物の量および性質は、本発明によるゲルの特性に悪影響を及ぼさないように、当業者によって選択され、その量が調節されることができる。香料成分または成分の混合物はまた、香料製造業において現在使用されているカプセル化担体に封入されたカプセル化形態でも担持させることができる。香気成分マイクロカプセルは、特に脆弱な賦香成分を保護するために、またはある特定の香料成分の放出を遅らせ、ひいては徐放効果を生み出すことができる。いわゆるプロフレグランス（すなわち、高分子量の化学物質であって、一般的に、それ自体は着臭剤ではないものの、使用条件下で化学的または光化学的な反応によって着臭剤を生成することができる）が本発明により使用される場合にも、同じことが当てはまる。
【００２２】
「悪臭中和剤」または「悪臭中和成分」という用語は、本明細書では、悪臭、すなわち、人間の鼻にとって不快なまたは異質な臭いの知覚を、悪臭の中和および／または隠蔽によって低下させることができる化合物を意味する。特定の実施形態では、これらの化合物は、悪臭の原因であることが知られているかまたは疑われている主要な化合物と反応することができる。この反応により、悪臭物質の空気中での量が低下し、結果として悪臭の知覚が低下する。
【００２３】
活性揮発性成分は、昆虫防除剤であってもよい。適切な昆虫防除剤の非限定的な例には、バーチ、ＤＥＥＴ（Ｎ，Ｎ−ジエチル−ｍ−トルアミド）、レモンユーカリ（Ｃｏｒｙｍｂｉａ  ｃｉｔｒｉｏｄｏｒａ）の精油およびその活性化合物ｐ−メンタン−３，８−ジオール（ＰＭＤ）、ピカリジン（ヒドロキシエチルイソブチルピペリジンカルボキシレート）、ネペラクトン、シトロネラ油、ニーム油、ボグマートル（Ｍｙｒｉｃａ  Ｇａｌｅ）、ジメチルカルベート、トリシクロデセニルアリルエーテル、ＩＲ３５３５（３−  ［Ｎ−ブチル−Ｎ−アセチル］−アミノプロピオン酸、エチルエステル、エチルヘキサンジオール、ジメチルフタレート、メトフルトリン、インダロン、ＳＳ２２０、アントラニル酸ベースの防虫剤、およびそれらの混合物が含まれる。
【００２４】
活性揮発性成分の性質および種類は、より詳細な説明を保証するものではなく、それらは、いずれの場合にも網羅的ではないことから、当業者は、その一般知識、目的とされる使用または用途に基づいてそれらを選択することができる。
【００２５】
活性揮発性成分は、任意の適切な溶媒に溶解することができる。本発明の好ましい実施形態によれば、溶媒は、ＶＯＣ化合物を含まない。「ＶＯＣ」とは、本明細書では、環境保護局によって定義される揮発性有機化合物を意味し、特に、エタノールなどのＣ１〜Ｃ５アルカノール、またはエチレングリコールなどのＣ１〜Ｃ５アルカンジオールを意味する。
【００２６】
特に高く評価されているＶＯＣ不含溶媒の例は、メトキシル化シロキサン（例えば、Ｄｏｗ  Ｃｏｒｎｉｎｇ（登録商標）Ｆｌｕｉｄの商標名で販売されているもの）、鉱油および植物油、例えば、オリーブ油、ヒマシ油およびヒマワリ油などである。
【００２７】
本発明のすべての実施形態では、活性揮発性成分または成分の混合物の量は、好ましくは、ゲルの総重量に対して該活性揮発性成分０．１重量％〜５重量％、より好ましくは１．０重量％〜２．０重量％である。
【００２８】
本発明の組成物は、該組成物の総重量に対して８５重量％〜９８．９重量％の量の水
、好ましくは、該組成物の総重量に対して９０重量％〜９８．９重量％の量の水をさらに含む。
【００２９】
本発明の組成物は、該組成物の総重量に対して０．０１重量％〜１重量％の量の２価カチオンをさらに含む。２価カチオンは、カルシウム塩である。２価カチオンの非限定的な例は、リン酸カルシウムおよび塩化カルシウムである。好ましい実施形態によれば、２価カチオンは、リン酸カルシウムである。ゲル組成物中の２価カチオンの総量は、該ゲル組成物の総重量に対して０．１重量％〜１重量％で、好ましくは、２価カチオンの総量は、該ゲル組成物の総重量に対して０．１重量％〜０．８重量％で、より好ましくは、該ゲル組成物の総重量に対して０．２重量％〜０．５重量％で含まれるべきである。
【００３０】
本発明の組成物は、金属イオン封鎖剤をさらに含む。「金属イオン封鎖剤」という用語は、当該技術分野における通常の意味、すなわち、剛性で均一なゲルを得るために２価のカチオンを徐々に放出することを可能にする化合物を意味する。ゲル組成物に一般的に使用される金属イオン封鎖剤の性質および種類の詳細な説明は、網羅的とはなり得ない。これらの成分の多くは、当業者に周知であり、Ｒ．Ｓ．Ｉｇｏｅ，Ｄｉｃｔｉｏｎａｒｙ  ｏｆ  Ｆｏｏｄ  Ｉｎｇｒｅｄｉｅｎｔｓ，２０１１，Ｓｐｒｉｎｇｅｒ，ＵＳＡの書籍などの参考文献に記載されている。しかしながら、非限定的な例として、ヘキサリン酸ナトリウム、アンモニウムもしくはカリウム、テトラリン酸ナトリウム、アンモニウムもしくはカリウム、トリポリリン酸ナトリウム、アンモニウムもしくはカリウム、トリリン酸ナトリウム、アンモニウムもしくはカリウム、またはピロリン酸ナトリウム、アンモニウムもしくはカリウムなどの金属イオン封鎖剤を挙げることができ、これらが最も一般的に使用されている。好ましい実施形態によれば、金属イオン封鎖剤は、トリポリリン酸ナトリウムである。本発明の方法における金属イオン封鎖剤の総量は、ゲル組成物の総重量に対して０．５重量％未満であるべきである。好ましくは、本発明の方法における金属イオン封鎖剤の総量は、ゲル組成物の総重量に対して０．００１重量％〜０．５重量％、さらには、ゲル組成物の総重量に対して０．１重量％〜０．３重量％であるべきである。
【００３１】
本発明の組成物は、ｐＨ調整剤をさらに含む。ｐＨ調整剤は、添加されてｐＨを下げる。適切なｐＨ調整剤の非限定的な例には、グルコノデルタラクトン、乳酸ラクトン、グリコール酸ラクトンおよびＬ−乳酸塩が含まれる。好ましくは、ｐＨ調整剤は、グルコノデルタラクトンおよびＬ−乳酸塩である。さらにより好ましくは、ｐＨ調整剤は、グルコノデルタラクトンである。ｐＨ調整剤は、ゲル組成物の総重量に対して３重量％未満、好ましくは、ゲル組成物の総重量に対して０．０１重量％〜３重量％の量で添加される。
【００３２】
本発明による組成物は、エアフレッシュナーである。「エアフレッシュナー」という用語は、当該技術分野においてその通常の意味を与えるものであり、すなわち、香水などの揮発性活性成分をその周囲環境に拡散することができる組成物である。エアフレッシュナーの例には、プラグイン、ワックス溶融物、キャンドル、便器用ブロックまたはゲルが挙げられるが、これらに限定されない。好ましくは、エアフレッシュナーは、ヒドロゲルエアフレッシュナーである。
【００３３】
本発明のゲルは、１つ以上の追加の成分を任意に含むことで、ゲルの審美的および／または機能的な改善を増強または追加することもできる。特に、ゲルデバイスに含まれることができる追加の材料には、抗菌剤、抗微生物剤、防腐剤、着色剤、装飾材料、安定剤、酸化防止剤、乳化剤、界面活性剤およびＵＶ遮断剤が含まれる。安定剤は、グアールガム、カルボキシメチルセルロースまたはローカストビーンガムなどのシネレシスを制限することができ、または外皮形成を防止することができ、および／またはセチルアルコールもしくはポリエチレングリコールのように可塑性を与えることができる。任意ではあるが有用な別の要素は、活性揮発性成分がもはやゲル中に存在しなくなる（香気成分が排出されて、もはや拡散されなくなる）と、消費者に知らせる指示器、すなわち、終点指示器である。
【００３４】
特定の実施形態によれば、本発明のゲルの任意の成分は、ポリエチレングリコール、ジブチルラウロイルグルタミド、ジブチルエチルヘキサノイルグルタミド、ローカストビーンガム、Ｃ１４−１８アルコール、例えばセチルアルコール、グアールガム、カルボキシメチルセルロースおよびそれらの混合物からなる群から選択することができる。
【００３５】
一般的に、本発明のゲル中でのそのような任意の成分の総量は、ゲル組成物の総重量に対して１０重量％を上回るべきではなく、より好ましくは、ゲル組成物の総重量に対して２重量％を下回るべきではない。
【００３６】
これらの任意の成分は、本明細書では、より詳細な説明を保証するものではなく、それらは、いずれの場合にも網羅的ではない。当業者は、当該技術分野における一般知識およびゲルデバイスの所望の特性に基づいてそれらを選択することができる。特に、追加の成分の種類および量は、ゲルの剛性およびその他の所望の特性が影響されないような形で選択される。
【００３７】
好ましい実施形態によれば、本発明のゲル組成物は、環境的な観点からも有利である。実際、上述のように、本発明で使用される溶媒は、ＶＯＣ不含であり得る。さらに、ゲル化剤は、植物材料に由来し、環境にとって有害ではない。特に、それは生分解性である。ゲル化剤は、環境および人間に対する安全性の観点からも有利であり、そのため、化粧品にも使用することができる。
【００３８】
上記実施形態のいずれか１つによれば、本発明の組成物は、アルギン酸塩を本質的に含まない。
【００３９】
上記実施形態のいずれか１つによれば、本発明の組成物は、界面活性剤または乳化剤を本質的に含まない。特に、活性揮発性成分含有油は、界面活性剤を含まない。
【００４０】
別の態様では、本発明は、以下の工程：
ａ）セルロース、ヘミセルロースおよびペクチンを含むゲル化剤を水と混合する工程、
ｂ）工程ａ）で得られた混合物に金属イオン封鎖剤を添加する工程、
ｃ）任意に、工程ｂ）で得られた混合物を加熱する工程、
ｄ）工程ｃ）で得られた混合物に
ｉ）２価カチオン、
ｉｉ）ｐＨ調整剤および
ｉｉｉ）活性揮発性成分含有油
を添加する工程
を含む、上記で定義したゲル組成物を調製する方法を提供する。
【００４１】
好ましい実施形態によれば、工程ｂ）で得られた混合物は、加熱される。工程ｂ）で得られた混合物は、好ましくは８０℃〜１００℃、より好ましくは８０℃〜８５℃の温度に加熱される。
【００４２】
好ましい実施形態によれば、２価カチオンは、ｐＨ調整剤の前に添加される。
【００４３】
本発明の方法の間に金属イオン封鎖剤およびｐＨ調整剤を添加することで、均一で剛性のゲルを得るためにカルシウムカチオンを徐々に放出させることができる。
【００４４】
ゲル化剤、活性揮発性成分、２価カチオン、金属イオン封鎖剤およびｐＨ調整剤の量は、この説明の前のセクションで定義されている。
【００４５】
この方法の好ましい実施形態によれば、ステップｄ）で得られた流体ゲルは、室温（典型的には１５〜２５℃）に冷却させる前に、型または適切な容器に注がれる。そのような実施形態により、決まった形態の固体ゲルを得ることが可能になり、装飾的なエアフレッシュナーおよびその他のゲルデバイスの実現を可能にする。当然のことながら、ゲルは、型または容器を用いずに、上記で得られたように使用することもできる。
【００４６】
本発明のゲル組成物に添加されることができる任意のどの成分も、ゲル化剤の水溶液に添加されるか、または工程ｂ）で得られた混合物を加熱した後の任意の時点で添加される。当業者は、それらの性質に応じて、方法の最も適切な段階で任意の成分を効果的に添加することができる。
【００４７】
本発明によるゲル組成物のすべての実施形態は、上記方法に従って調製することができ、ここで、上記で定義したような、好ましい成分およびその相対的な割合の使用により、好適な特性を有する多岐にわたったゲルを得ることが可能になる。
【００４８】
本発明の別の対象は、下記の実施形態のいずれかの方法によって得ることができるゲル組成物である。
【００４９】
本発明者らは、本発明のゲル組成物が、その中に担持されている活性成分の非常に均一で長期の拡散を有利に提供することを見出した。従来から公知のカラギナンゲルとは対照的に、ある特定量の香料の使用につながるマリン系オフノートは、本発明では知覚されない。
【００５０】
上述したように、本発明の組成物は、消費者用物品に含ませることができるか、または結び付けることができるため、消費者用物品として意図されているのは、本明細書では、より具体的には、揮発性物質ディスペンサーである。したがって、本発明のゲル組成物を含む揮発性物質ディスペンサーの形態の消費者製品もまた、本発明の対象である。実際には、容器と本発明の適切な組成物とで、前記消費者製品を構成することになる。組成物は、容器に収容され、容器表面の少なくとも一部により、揮発性液体成分の蒸気を、前記消費者用物品を取り巻く空気中に放出させることができる。容器は、この種の消費者用品に使用可能な任意の材料で作製されていてよい。当然、前記材料は、本発明の組成物に対して化学的に不活性でなければならない。これらの種類の物品に使用される標準的なパッケージである、例えばプラスチック−ポリプロピレン、ポリ塩化ビニル、高密度ポリエチレン、ＰＥＴおよびガラスがよく適している。
【００５１】
貯蔵中、容器の外部への蒸気の放出を可能にする容器の少なくとも一部は、揮発性液相を周囲に拡散させないためにシールされている。それから消費者は、シールを取り除くだけで消費者用物品を作動させ、その後に揮発性液相が周囲空気中に拡散し始める。
【００５２】
そのような揮発性物質ディスペンサーは、ゲルの調製に使用される活性揮発性物質の性質に応じて、賦香デバイスまたは衛生デバイスとなり得る。特に固体タイプのエアフレッシュナーとしての前記揮発性物質ディスペンサーの非限定的な例は、おむつ容器用フレッシュナー、自動車用フレッシュナー、クローゼット用フレッシュナー、ワードローブ用エアフレッシュナー、引出し用フレッシュナー、動物用リターボックス用フレッシュナー、靴用フレッシュナーまたはゴミ容器用フレッシュナー、殺虫剤または防虫剤デバイス、または虫除け剤である。
【００５３】
実際には、容器と本発明の適切なゲル組成物とで、前記消費者用物品を構成することになる。ゲルは、容器またはパッケージ材料に収容されることができる。
【００５４】
本発明はまた、本発明のゲルデバイスを空気に曝すことによって活性揮発性成分を周囲空気中に拡散する方法に関する。本発明の好ましい実施形態では、ゲルデバイスは、例えば、部屋、食器棚、ワードローブ、引出し、動物用リターボックスまたはゴミ容器などの密閉空間において空気に曝される。したがって、本発明の別の対象は、上記で定義したゲル組成物を提供する工程を含む、活性揮発性成分の蒸発を調節、増強または変更する方法である。
【００５５】
本発明の別の対象は、上記に定義したゲル組成物をエアフレッシュナーとして使用することである。
【００５６】
これから、以下の実施例により本発明をさらに詳細に説明するが、量は、ゲル組成物の重量に対して重量％で示され、温度は、摂氏温度で示される。
【００５７】
実施例１
本発明によるゲル組成物（ゲル１）の調製
セルロース、ヘミセルロースおよびペクチンを含むゲル化剤（ＦｉｂｅｒＧｅｌ（登録商標），Ｆｌｏｒｉｄａ  Ｆｏｏｄ  Ｐｒｏｄｕｃｔｓ，Ｉｎｃの商標であり、Ｆｌｏｒｉｄａ  Ｆｏｏｄ  Ｐｒｏｄｕｃｔｓ，Ｉｎｃから市販されている）（３４．２ｇ、２．９重量％）を、撹拌しながら（１０〜１５分間）、水（１１３２．９ｇ、９４．４重量％）に添加した。トリポリリン酸ナトリウム（２．４ｇ、０．２重量％）を添加し、混合物を８０℃に加熱した。それから、リン酸カルシウム（２．４ｇ、０．２重量％）およびグルコノデルタラクトン（１４．９ｇ、１．２重量％）を添加した。それから、香油（表１または表２、１２ｇ、１．０重量％）および抗菌／防腐剤（ＮＥＯＬＯＮＥ（登録商標），Ｄｏｗ  Ｃｈｅｍｉｃａｌ  Ｃｏｍｐａｎｙの商標、１．２ｇ、０．１重量％）を添加し、混合した。得られた混合物を、いくつかの適切な型に注ぎ、冷却した。
【００５８】
得られたゲルの熱安定性を、Ｋｏｆｌｅｒ  Ｂｅｎｃｈを用いて評価し、そのようなヒドロゲルは、ゲル構造の融解または実質的な変化なしに１００℃まで加熱できることがわかった。
【００５９】
【表１−１】
2018522664.tif 000002
【００６０】
【表１−２】
2018522664.tif 000003
１）７−メチル−２Ｈ，４Ｈ−１，５−ベンゾジオキセピン−３−オン；出所：Ｆｉｒｍｅｎｉｃｈ  ＳＡ，Ｇｅｎｅｖａ，Ｓｗｉｔｚｅｒｌａｎｄ
２）ドデカヒドロ−３ａ，６，６，９ａ−テトラメチル−ナフト［２，１−ｂ］フラン；出所：Ｆｉｒｍｅｎｉｃｈ  ＳＡ，Ｇｅｎｅｖａ，Ｓｗｉｔｚｅｒｌａｎｄ
３）トリシクロ［５．２．１．０（２，６）］デカ−３−エン−８−イルアセテートとトリシクロ［５．２．１．０（２，６）］デカ−４−エン−８−イルアセテートとの混合物
４）出所：Ｆｉｒｍｅｎｉｃｈ  ＳＡ，Ｇｅｎｅｖａ，Ｓｗｉｔｚｅｒｌａｎｄ
５）２，６，１０−トリメチル−９−ウンデセナール；出所：Ｓｙｍｒｉｓｅ  ＡＧ，Ｇｅｒｍａｎｙ
６）３−（４／２−エチルフェニル）−２，２−ジメチルプロパナール；出所：Ｉｎｔｅｒｎａｔｉｏｎａｌ  Ｆｌａｖｏｒｓ  ＆  Ｆｒａｇｒａｎｃｅｓ，ＵＳＡ
７）１−（オクタヒドロ−２，３，８，８−テトラメチル−２−ナフタレニル）−１−エタノン；出所：Ｉｎｔｅｒｎａｔｉｏｎａｌ  Ｆｌａｖｏｒｓ  ＆  Ｆｒａｇｒａｎｃｅｓ，ＵＳＡ
８）Ｎ−メチルイオノン；出所：Ｉｎｔｅｒｎａｔｉｏｎａｌ  Ｆｌａｖｏｒｓ  ＆  Ｆｒａｇｒａｎｃｅｓ，ＵＳＡ
９）３−（４−ｔｅｒｔ−ブチルフェニル）−２−メチルプロパナール；出所：Ｇｉｖａｕｄａｎ−Ｒｏｕｒｅ  ＳＡ，Ｖｅｒｎｉｅｒ，Ｓｕｉｓｓｅ
１０）出所：Ｇｉｖａｕｄａｎ−Ｒｏｕｒｅ  ＳＡ，Ｖｅｒｎｉｅｒ，Ｓｕｉｓｓｅ
１１）１−（５，５−ジメチル−１−シクロヘキセン−１−イル）−４−ペンテン−１−オン；出所：Ｆｉｒｍｅｎｉｃｈ  ＳＡ，Ｇｅｎｅｖａ，Ｓｗｉｔｚｅｒｌａｎｄ
１２）（＋−）−１−メチル−４−（４−メチル−３−ペンテニル）−３−シクロヘキセン−１−カルバルデヒド；出所：Ｉｎｔｅｒｎａｔｉｏｎａｌ  Ｆｌａｖｏｒｓ  ＆  Ｆｒａｇｒａｎｃｅｓ，ＵＳＡ
１３）８（９）−メトキシ−トリシクロ［５．２．１．０．（２，６）］デカン−３（４）−カルバルデヒド；出所：Ｆｉｒｍｅｎｉｃｈ  ＳＡ，  Ｇｅｎｅｖａ，Ｓｗｉｔｚｅｒｌａｎｄ
１４）２−ｔｅｒｔ−ブチル−１−シクロヘキシルアセテート；出所：Ｉｎｔｅｒｎａｔｉｏｎａｌ  Ｆｌａｖｏｒｓ  ＆  Ｆｒａｇｒａｎｃｅｓ，ＵＳＡ
１５）出所：Ｆｉｒｍｅｎｉｃｈ  ＳＡ，  Ｇｅｎｅｖａ，Ｓｗｉｔｚｅｒｌａｎｄ
【００６１】
【表２】
2018522664.tif 000004
１）４−シクロヘキシル−２−メチル−２−ブタノール；出所：Ｆｉｒｍｅｎｉｃｈ  ＳＡ，Ｇｅｎｅｖａ，Ｓｗｉｔｚｅｒｌａｎｄ
２）テトラヒドロ−２−イソブチル−４−メチル−４（２Ｈ）−ピラノ−ル；出所：  Ｆｉｒｍｅｎｉｃｈ  ＳＡ，  Ｇｅｎｅｖａ，Ｓｗｉｔｚｅｒｌａｎｄ
３）ジヒドロジャスモン酸メチル；出所：Ｆｉｒｍｅｎｉｃｈ  ＳＡ，  Ｇｅｎｅｖａ，Ｓｗｉｔｚｅｒｌａｎｄ
４）１−（オクタヒドロ−２，３，８，８−テトラメチル−２−ナフタレニル）−１−エタノン；出所：Ｉｎｔｅｒｎａｔｉｏｎａｌ  Ｆｌａｖｏｒｓ  ＆  Ｆｒａｇｒａｎｃｅｓ，ＵＳＡ
５）３−（４−ｔｅｒｔ−ブチルフェニル）−２−メチルプロパナール；出所：Ｇｉｖａｕｄａｎ−Ｒｏｕｒｅ  ＳＡ，Ｖｅｒｎｉｅｒ，Ｓｕｉｓｓｅ
６）２−ｔｅｒｔ−ブチル−１−シクロヘキシルアセテート；出所：Ｉｎｔｅｒｎａｔｉｏｎａｌ  Ｆｌａｖｏｒｓ  ＆  Ｆｒａｇｒａｎｃｅｓ，ＵＳＡ
７）トリシクロ［５．２．１．０（２，６）］デカ−３−エン−８−イルアセテートとトリシクロ［５．２．１．０（２，６）］デカ−４−エン−８−イルアセテートとの混合物
８）トリシクロ［５．２．１．０（２，６）］デカ−３−エン−８−イルプロパノエートとトリシクロ［５．２．１．０（２，６）］デカ−４−エン−８−イルプロパノエート（ｂ）との混合物
９）出所：Ｆｉｒｍｅｎｉｃｈ  ＳＡ，  Ｇｅｎｅｖａ，Ｓｗｉｔｚｅｒｌａｎｄ
【００６２】
実施例２
本発明によるゲル組成物の調製
セルロース、ヘミセルロースおよびペクチンを含むゲル化剤（Ｃｉｔｒｉ−Ｆｉ（登録商標），Ｆｉｂｅｒｓｔａｒ（登録商標）の商標であり、Ｆｉｂｅｒｓｔａｒ（登録商標）から市販されている）（７．５ｇ、３重量％）を、撹拌しながら（１０〜１５分間）、水（２２４．７ｇ、８９．８重量％）に添加した。トリポリリン酸ナトリウム（１．３ｇ、０．５重量％）を添加し、混合物を８０℃に加熱した。それから、第二リン酸カルシウム（１．０ｇ、０．４重量％）を添加した。それから、香油（表２、１２．５ｇ、５重量％）およびグルコノデルタラクトン（３．１ｇ、１．２重量％）を添加し、混合した。得られた混合物を、いくつかの適切な型に注ぎ、冷却した。
【００６３】
得られたゲルの熱安定性を、Ｋｏｆｌｅｒ  Ｂｅｎｃｈを用いて評価し、そのようなヒドロゲルは、ゲル構造の融解または実質的な変化なしに１００℃まで加熱できることがわかった。
【００６４】
実施例３
本発明によるゲル組成物（ゲルＡ〜Ｅ）の調製
本発明によるゲル（ゲルＡ〜Ｅ）を、実施例１に記載した手順に従って、以下の成分により調製した。
【００６５】
【表３】
2018522664.tif 000005
１）ＦｉｂｅｒＧｅｌ（登録商標），Ｆｌｏｒｉｄａ  Ｆｏｏｄ  Ｐｒｏｄｕｃｔｓ，Ｉｎｃの商標であり、Ｆｌｏｒｉｄａ  Ｆｏｏｄ  Ｐｒｏｄｕｃｔｓ，Ｉｎｃ．から市販されている
２）Ｎｅｏｌｏｎｅ（商標），Ｄｏｗ  Ｃｈｅｍｉｃａｌ  Ｃｏｍｐａｎｙの商標
３）Ｃａｒｂｏｗａｘ（登録商標）；Ｄｏｗ  Ｃｈｅｍｉｃａｌ  Ｃｏｍｐａｎｙの商標
４）混合物は、９６重量％のポリエチレングリコール  １０００，２重量％のジブチルラウロイルグルタミドおよび２重量％のジブチルエチルヘキサノイルグルタミドからなる：この混合物は、グルコノデルタラクトンの後に添加した。
【００６６】
ローカストビーンガム、グアールガムおよびカルボキシメチルセルロースを、ゲル化剤の水溶液に添加するのに対して、セチルアルコールは、リン酸カルシウムの添加前に添加する。
【００６７】
実施例４
カラギナンをベースとする対照ゲル組成物（ゲル２）の調製
主にκ−カラギナン（３４．２ｇ、２．８５重量％）からなるカラギナン粉末を、８０℃で水（１１５２．６ｇ、９６．０５重量％）に徐々に添加した。この溶液を、均一な液体が得られるまで撹拌した。約１０分間撹拌した後、香油（表１または表２、１２ｇ、１重量％）および抗菌剤／防腐剤（ＮＥＯＬＯＮＥ（商標）、１．２ｇ、０．１重量％）を添加した。得られた混合物を、いくつかの適切な型に注ぎ、室温まで冷却した。
【００６８】
実施例５
対照ゲル組成物と比較した、本発明によるゲル組成物の経時的な香気成分放出
表１の香料で実施例１および４（ゲル１およびゲル２）に報告したように調製したヒドロゲルを、市販用のコーン形状に成形した。得られたサンプルを、一定温度（２０℃）、および比較的一定のパーセント相対湿度（約６０％の相対湿度）で４週間乾燥させた。一定の間隔（週毎）で、このコーンを、密閉デシケーター中に２時間入れ、ＳＰＭＥ繊維（ＳＵＰＥＬＣＯ  ８５μｍのポリアクリレートＳＰＭＥ繊維）を使用してヘッドスペースを３０分間収集した。ＳＰＭＥ繊維を、２５０℃で２分間ＧＣインジェクターに放出させ、スプリットレス注入を行った。分析は、ＤＢ−ＷＡＸｅｔｒカラム（３０ｍ×０．３２０ｍｍ、膜厚０．２５μｍ）を備えたＡｇｉｌｅｎｔ  ＧＣＭＳ（６８９０ＧＣ、５９７３ＭＳＤ）を使用して行った。ヘッドスペース内の化合物についてのＭＳ検出器からのピーク面積を合計し、３回測定したサンプルの平均を出した。
【００６９】
図１は、時間の関数としての揮発性化合物のＧＣ−ＭＳピーク面積の合計平均（Ａｖｅｒａｇｅ  Ｓｕｍ）を報告しており、本発明のヒドロゲルコーンが、ゲル２（これは、経時的な香気成分放出プロファイルに関しての基準である）に匹敵する香気成分放出を示すという事実を明らかにしている。
【００７０】
実施例６
対照ゲル組成物（ゲル２）と比較した、本発明によるゲル組成物（ゲル１）の嗅覚性能
【００７１】
異なる濃度の香料（表２の香料組成）を有する本発明による４つのヒドロゲルコーンおよび同じ濃度の香料（表２の香料組成）を有する４つの対照ヒドロゲルコーンについての官能試験（ｎ＞３０）を行った。それぞれの４つのコーンは、０％ｗ／ｗ、０．２３％ｗ／ｗ（典型的な市販の香気成分濃度の２５％；すなわち０．９％ｗ／ｗに相当）、０．４５％ｗ／ｗ（典型的な市販の香気成分濃度の５０％；すなわち０．９％ｗ／ｗに相当）および０．９％ｗ／ｗ（典型的な市販の香気成分濃度の１００％に相当）の範囲の香気成分濃度という点で異なっていた。サンプルには、色の違いがはっきりしない色素が含まれていた。パネリストに、専用官能評価ブース内で鼻から約２．５ｃｍの距離をとってゲルの匂いを嗅ぐことにより、開放したエアフレッシュナーの匂いを「湿り」状態（時間＝０）で嗅ぐよう求めた。
【００７２】
サンプルを、２つまとめて（本発明に対応する１つのゲルおよび対照に対応する１つのゲル）評価し、パネリストは、各香気成分濃度について、
１）最高の香気成分強度を有するゲル、
２）全体的に好ましいゲルおよび
３）最も高いオフノートを有するゲル
を指し示す必要があった。
【００７３】
結果を、対応するｐ値とともに表４に示す。
【００７４】
【表４】
2018522664.tif 000006
【００７５】
官能評価データは、任意の香気成分レベルを有するエアフレッシュナーからの知覚された香気成分強度について、対照ゲル２で作製された香気成分レベルよりもゲル１で作製された香気成分強度の方が高いことを示している。香気成分レベルが１００％であっても、実質的により多くのパネリストは、本発明のゲル１がより強度の高いものとして評価した（３５名のうち２３名）。
【００７６】
他方で、本発明のゲル１の嗜好は、すべての香気成分レベルにおいて非常に有意なものであった。最後に、オフノート強度は、対照ゲル２について同様にすべてのレベルで有意に強かった。知覚されるオフノートの一般的な記述コードは、「魚類」、「海洋性（マリン系）」および「湿地性」であった。
【図１】
2018522664.tif 000007
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
ゲル組成物であって、
ａ）前記組成物の総重量に対して０．１重量％〜１０重量％の量の、セルロース、ヘミセルロースおよびペクチンを含むゲル化剤、
ｂ）前記組成物の総重量に対して０．１重量％〜５重量％の量の活性揮発性成分含有油、
ｃ）前記組成物の総重量に対して８５重量％〜９８．９重量％の量の水、
ｄ）前記組成物の総重量に対して０．０１重量％〜１重量％の量の２価カチオン、
ｅ）前記ゲル組成物の総重量に対して０．５重量％未満の量の金属イオン封鎖剤および
ｆ）前記ゲル組成物の総重量に対して３重量％未満の量のｐＨ調整剤
を含み、ここで、前記組成物は、エアフレッシュナーである、ゲル組成物。
【請求項２】
前記活性揮発性成分が、香料である、請求項１記載のゲル組成物。
【請求項３】
前記２価カチオンが、リン酸カルシウムである、請求項１記載のゲル組成物。
【請求項４】
前記ｐＨ調整剤が、グルコノデルタラクトンである、請求項１記載のゲル組成物。
【請求項５】
前記金属イオン封鎖剤が、トリポリリン酸ナトリウムである、請求項１記載のゲル組成物。
【請求項６】
請求項１記載のゲル組成物を調製する方法であって、以下の工程：
ａ）セルロース、ヘミセルロースおよびペクチンを含むゲル化剤を水と混合する工程、
ｂ）工程ａ）で得られた混合物に金属イオン封鎖剤を添加する工程、
ｃ）任意に、工程ｂ）で得られた混合物を加熱する工程、
ｄ）工程ｃ）で得られた混合物に
ｉ）２価カチオン、
ｉｉ）ｐＨ調整剤および
ｉｉｉ）活性揮発性成分含有油
を添加する工程
を含む、方法。
【請求項７】
前記ゲルを、室温に冷却させる前に、型または適切な容器にさらに注ぐ、請求項６記載の方法。
【請求項８】
前記ｐＨ調整剤が、グルコノデルタラクトンである、請求項６記載の方法。
【請求項９】
前記ｐＨ調整剤を、前記ゲル組成物の総重量に対して０．０１重量％〜３重量％の量で添加する、請求項６記載の方法。
【請求項１０】
請求項１記載のゲル組成物を提供する工程を含む、活性揮発性成分の蒸発を調節、増強または変更する方法。
【請求項１１】
エアフレッシュナーとしての請求項１記載のゲル組成物の使用。
【国際調査報告】
2018522664.tif 000008
2018522664.tif 000009
2018522664.tif 000010